【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
グリッパヘッド（１０）を有するコンタクトレンズ用のグリッパ（１）であって、グリッパヘッドは、コンタクトレンズ（ＣＬ）の支持面（１００）を有し、グリッパヘッドには、１以上の開口（１０１，１０２）が設けられ、開口を通して支持面（１００）に対してコンタクトレンズ（ＣＬ）を吸引するため負圧を供給し、かつ支持面（１００）からコンタクトレンズ（ＣＬ）を解放するための加圧を供給し、チャンネル（１０３）がグリッパヘッド（１０）の中に設けられ、チャンネル（１０３）は複数の開口（１０１，１０２）を相互に連結することを特徴とするグリッパ（１）。
【請求項２】
チャンネル（１０３）が溝として設計されていることを特徴とする、請求項１記載のグリッパ。
【請求項３】
複数の開口（１０１）が円弧上に配置され、一つの開口（１０２）が円弧の中心に配置されていることを特徴とする、請求項１と２のどちらか一方に記載のグリッパ。
【請求項４】
別個のチャンネル（１０３）が、円弧の中心の開口（１０２）から始まり、円弧上に配置されている各々の開口（１０１）に延びて設けられ、前記チャンネル（１０３）が、円弧の中心の開口（１０２）を円弧上の各々の開口（１０１）に連結することを特徴とする、請求項３記載のグリッパ。
【請求項５】
円弧の中心の開口（１０２）を円弧上の各々の開口（１０１）に連結する各々のチャンネル（１０３）が、円弧上の開口（１０１）を超えて放射状に外側に延びることを特徴とする、請求項４記載のグリッパ。
【請求項６】
チャンネル（１０３）が支持面（１００）の中に設けられていることを特徴とする、請求項１乃至５記載のグリッパ。
【請求項７】
グリッパ（１）の外面が、平滑で、かつ特に液体を集めることができるくぼみを有さないことを特徴とする、請求項１乃至６記載のグリッパ。
【請求項８】
グリッパが、グリッパヘッド（１０）の中の開口（１０１，１０２）に導く負圧チャンネル（１３）を有し、かつ同様にグリッパヘッド（１０）の中の開口（１０１０，１０２）に導く加圧チャンネル（１２０）を有し、前記加圧チャンネル（１２０）と前記負圧チャンネル（１３）とが、本質的に相互に離間していることを特徴とする、請求項１乃至７記載のグリッパ。
【請求項９】
負圧チャンネル（１３）が、加圧チャンネル（１２０）を形成するグリッパ（１）の内部を通って延び、グリッパヘッド（１０）の開口（１０１，１０２）から短い距離（ｄ）で終わるチューブによって形成されていることを特徴とする、請求項８記載のグリッパ。
【請求項１０】
負圧チャンネル（１３）を形成するチューブが、グリッパヘッド（１０）の中の開口（１０１，１０２）から０．１〜５ｍｍ、好ましくは約１ｍｍの距離（ｄ）で終わることを特徴とする、請求項９記載のグリッパ。
【請求項１１】
請求項１乃至１０記載のグリッパ（１）と、内側の壁に気体状の媒体、例えば空気を供給することが可能であるノズル（２０）を有するノズルリング（２）とを備えるコンタクトレンズの把持装置であって、前記グリッパ（１）とノズルリング（２）とは、グリッパ（１）が把持されるコンタクトレンズ（ＣＬ）に向かってノズルリング（２）を通って移動することができ、かつ、コンタクトレンズ（ＣＬ）が把持された後、再びノズルリング（２）を通ってコンタクトレンズ（ＣＬ）とともに戻ることができるように設計され、グリッパ（１）がノズルリング（２）を通って戻ると、コンタクトレンズ（ＣＬ）が気体状の媒体の作用を受けることができる把持装置。
【手続補正２】
【補正対象書類名】明細書
【補正対象項目名】０００７
【補正方法】変更
【補正の内容】
【０００７】
特に、本発明のグリッパは、コンタクトレンズの支持面を有するグリッパヘッドを含み、グリッパヘッドには１以上の開口が設けられ、開口を通して、支持面に対してコンタクトレンズを吸引するため負圧を供給し、かつ、支持面からコンタクトレンズを解放するための加圧を供給する。グリッパヘッドには複数の開口を互いに連結するチャンネルが備えられている。グリッパヘッドに備えられたチャンネルの助けを借りて複数の開口を（できる限り全ての開口さえも）連結することにより、一方では、負圧の供給で、コンタクトレンズを複数の場所で同時に支持面に対して吸引するため、グリッパヘッドの支持面に対してコンタクトレンズを確実に吸引することができ、そして、他方では、同様の理由から、加圧の供給で、コンタクトレンズを安全にかつ慎重な方法で容器、例えば最終包装の部分を形成する容器の中央に入れられ得ることを、既にはじめに説明したように確実にすることができる。
【手続補正３】
【補正対象書類名】明細書
【補正対象項目名】００１６
【補正方法】変更
【補正の内容】
【００１６】
さらに、本発明は、前述の実施態様の一つで説明したグリッパと、内側の壁に気体状の媒体、例えば空気を供給することが可能であるノズルを有するノズルリングとを備えるコンタクトレンズの把持装置に関する。グリッパとノズルリングとは、グリッパが把持されるコンタクトレンズに向かってノズルリングを通って移動することができ、かつ、コンタクトレンズが把持された後、再びノズルリングを通ってコンタクトレンズとともに戻ることができるように設計されている。グリッパがノズルリングを通って戻ると、コンタクトレンズの外に付着する液体、例えば水を吹き飛ばすことができるように（例えば、ノズルリングが前述した検査室の上に配置されている場合、吹き飛ばされた液体は再度検査室により集められることができる）、コンタクトレンズは気体状の媒体の作用を受けることができ、そしてこのように液体の同伴をさらに減少させることができる。
【手続補正４】
【補正対象書類名】明細書
【補正対象項目名】００１８
【補正方法】変更
【補正の内容】
【００１８】
以下に図１から図３を参照して説明する本発明によるグリッパ１の図示された実施態様は、支持面１００を備えるグリッパヘッド１０を有する。複数の開口１０１は、図２から分るように、グリッパヘッド１０の中に設けられている。ここで示された図示された実施態様では、開口１０１は円弧上に配置され、一つの開口１０２が円弧の中心に配置されている。別個のチャンネル１０３は円弧の中心の開口１０２から始まり、（いわばスター形で）円弧上にある各開口１０１に延び、チャンネル１０３は円の中心の開口１０２を円弧上にある各々の開口１０１に連結する。チャンネル１０３は支持面１００の中に溝として設計されており、片面で開口し、かつ円弧上にある各々の開口１０１を越えて放射状に外方向に延びている。図示しない実施態様であるが、開口１０１は、例えば円弧の形状でチャンネルを介して相互に接続されることもできる。
【手続補正５】
【補正対象書類名】明細書
【補正対象項目名】００２５
【補正方法】変更
【補正の内容】
【００２５】
この目的のため、グリッパ１はノズルリング２を通して、検査室３が取り出し位置（図５）にあるとき、取り出しトラフ３９中に置かれるコンタクトレンズＣＬに向けて移動し、その動作は以下にさらに説明される。ひとたびグリッパ１がコンタクトレンズＣＬに到達すると、負圧が供給され、コンタクトレンズＣＬがグリッパヘッド１０の支持面１００に対して吸引される。コンタクトレンズＣＬを吸引するため、負圧は全ての開口１０１及び１０２を通してチューブ３７を経由して供給され、コンタクトレンズが均一なかつ確実な方法で吸引されるという結果になる。この吸引している間、当然液体、この場合は水も吸い上げられることも起こり得る。
【手続補正６】
【補正対象書類名】明細書
【補正対象項目名】００２８
【補正方法】変更
【補正の内容】
【００２８】
水がコンタクトレンズＣＬとグリッパヘッド１０の支持面１００との間に閉じ込められる（コンタクトレンズが表面上に吸引されるとき非常に容易に起こり得る）と、表面上に吸引されたコンタクトレンズＣＬとともにこの水は、支持面１００上のチャンネル１０３（溝）を経由して開口１０１と１０２を通過し、かつそこから内側１２０へ通ることが可能である。負圧が供給されている限りは、液体は徐々にチューブ１３を通り吸い出される。したがって、開口からチューブ３７の端まで距離ｄは、内側１２０へと開口１０１と１０２を通る液体が効果的にそこから吸い出されるように選択される。
【手続補正７】
【補正対象書類名】明細書
【補正対象項目名】００２９
【補正方法】変更
【補正の内容】
【００２９】
コンタクトレンズＣＬを検査室３から取り出した後、グリッパヘッド１０の支持面１００上に吸引されたコンタクトレンズＣＬとともにグリッパ１をコンタクトレンズＣＬが入れられる為にある最終包装の容器（図示しない）の上に移動させても良い。容器へのグリッパ１の移動の間、液体は全時間吸い出され、その結果、極めて僅かな液体を、好ましくはまったく液体を有さないが、コンタクトレンズＣＬ又は容器の中のグリッパ１とともに運ぶ。コンタクトレンズＣＬを入れることができ、かつ最終包装の部品を形成する容器は、ＥＰＡ−０６８０８９５の例に記載され、容器がカバーフォイルの助けを借りて密閉されるときコンタクトレンズは損害を受けることはないようにコンタクトレンズを、コンタクトレンズが比較的正確な位置に置かれる受け入れトラフを有する。